【手続補正書】
【提出日】平成16年7月26日(2004.7.26)
【手続補正１】
【補正対象書類名】明細書
【補正対象項目名】特許請求の範囲
【補正方法】変更
【補正の内容】
【特許請求の範囲】
【請求項１】
第一貯水部と、第一貯水部の一側方に位置するとともに第一貯水部の底部と連通する縦長で且つ第一貯水部よりも容量が小さい沸騰室と、沸騰室の壁面に配された水加熱用のヒーターと、第一貯水部から沸騰室と逆の側方に突出して形成されている第２貯水部と、この第２貯水部の上方に位置して上記沸騰室からのスチームをノズルに導くスチーム流路とを備えるとともに、上記第２貯水部とスチーム流路とを仕切る壁に設けた復水孔でスチーム流路と第２貯水部とが上下に連通していることを特徴とするスチーム式美容器。
【請求項２】
上記復水孔は、第２貯水部の上記突出方向の先端壁より離れた位置に設けられていることを特徴とする請求項１記載のスチーム式美容器。
【請求項３】
ノズルはスチームノズルとスチームノズルを保持するホルダーとを備えているとともにこの両者の間にスチームノズルの長さと略等しい長さの筒状の吸水フェルトを配設していることを特徴とする請求項１または２記載のスチーム式美容器。
【請求項４】
ヒーターを備えた沸騰室からノズルまでの経路に、高圧放電手段を配設していることを特徴とする請求項１〜３のいずれか１項に記載のスチーム式美容器。
【手続補正２】
【補正対象書類名】明細書
【補正対象項目名】０００５
【補正方法】変更
【補正の内容】
【０００５】
【課題を解決するための手段】
本発明の請求項１に係るスチーム式美容器は、第一貯水部と、第一貯水部の一側方に位置するとともに第一貯水部の底部と連通する縦長で且つ第一貯水部よりも容量が小さい沸騰室と、沸騰室の壁面に配された水加熱用のヒーターと、第一貯水部から沸騰室と逆の側方に突出して形成されている第２貯水部と、この第２貯水部の上方に位置して上記沸騰室からのスチームをノズルに導くスチーム流路とを備えるとともに、上記第２貯水部とスチーム流路とを仕切る壁に設けた復水孔でスチーム流路と第２貯水部とが上下に連通していることを特徴とするものである。
【手続補正３】
【補正対象書類名】明細書
【補正対象項目名】０００６
【補正方法】変更
【補正の内容】
【０００６】
また本発明の請求項２に係るスチーム式美容器は、請求項１の構成に加えて、上記復水孔は、第２貯水部の上記突出方向の先端壁より離れた位置に設けられていることを特徴とするものである。
【手続補正４】
【補正対象書類名】明細書
【補正対象項目名】０００７
【補正方法】変更
【補正の内容】
【０００７】
また本発明の請求項３に係るスチーム式美容器は、請求項１又は２の構成に加えて、ノズルはスチームノズルとスチームノズルを保持するホルダーとを備えているとともにこの両者の間にスチームノズルの長さと略等しい長さの筒状の吸水フェルトを配設していることを特徴とするものである。
【手続補正５】
【補正対象書類名】明細書
【補正対象項目名】０００８
【補正方法】変更
【補正の内容】
【０００８】
また本発明の請求項４に係るスチーム式美容器は、請求項１乃至３のいずれかの構成に加えて、ヒーターを備えた沸騰室からノズルまでの経路に、高圧放電手段を配設していることを特徴とするものである。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００２２
【補正方法】変更
【補正の内容】
【００２２】
給水筒部３４の第一開口部３８は後述するタンク蓋４０によって閉塞される。このタンク蓋４０には鍔部４４が設けてあり、鍔部４４と給水筒部３４の底部３４ｅと周壁２６によって囲まれる第一貯水部４６を形成する。
【手続補正１４】
【補正対象書類名】明細書
【補正対象項目名】００２３
【補正方法】変更
【補正の内容】
【００２３】
ヒーター取付管３５の内部には給水筒部３４の底部３４ｅよりやや上方からヒーター取付管３５の上部内壁より少し下方の位置まで周壁３６の外壁に中空の箱体４８が配設され、箱体４８の下面とヒーター取付管３５の下部内壁との間に隙間部９１を形成すると共に箱体４８の上面とヒーター取付管３５の上部内壁との間に隙間部９２を形成するようになっている。そして、中空の箱体４８を形成する壁と開口部３５ａに取りつけられたヒーター３の内側壁面３ａとの間には縦長状の隙間部９３が形成され、この隙間部９３が沸騰室６となる。沸騰室６の内壁７、すなわち、箱体４８の壁には上下方向に亘って少なくとも一つ以上の突部８が配設してある。そして、前述の隙間部９１は第一貯水部４６と沸騰室６とを連通する給水路４９であり、隙間部９２は沸騰室６と後述するスチーム溜り室４７とを連通する連通路５０である。尚、ヒーター３は缶体１１の外部に対して端子５３を有し、これにリード線を接合し、電力制御手段などを介して電源に接続されている。
【手続補正１５】
【補正対象書類名】明細書
【補正対象項目名】００５０
【補正方法】変更
【補正の内容】
【００５０】
ダイヤフラム７３は、図４に示すように中央に第二開口部３９よりやや大径の弁体部７３ａと、外周縁に取付部７３ｂと、これらを連結する薄肉の弾性部７３ｃを有して形成される。ダイヤフラム７３の閉塞部４５への固定は、円板状の固定板７４が取付部７３ｂを押さえつつ閉塞部４５に融着あるいは螺着することにより行われる。弁体部７３ａは、その上面はばねガイド７６に当接し、下面は第二開口部３９に当接する。図４はタンク蓋４０が給水タンク２に係止されて第二開口部３９を閉塞した状態を示している。この状態では、コイルばね７５は所定量圧縮されており、従って、ダイヤフラム７３は下向きにばね力Ｆと大気圧Ｐ０を受け、上向きにスチーム圧力に応じた圧力Ｐ１と貫通孔８からの大気圧Ｐ０を受けている。このばね力Ｆは、通常の圧力Ｐ１より十分大きくしてあるので、通常時は弁体部７３ａは確実に第二開口部３９を閉塞している。
しかし、スチームノズル６５が異物等で詰まったりして給水タンク２内の圧力が異常に上昇した場合、圧力Ｐ１はばね力Ｆより大きくなって弁体部７３ａを持ち上げ、第二開口部３９が開放されてその圧力は外部に放出される。従って、コイルばね７５はどの程度の圧力の上昇があったとき第二開口部３９を開放させるかに応じて適宜設計する。つまり、このダイヤフラム７３は、弁機能を有する弾性作動体であるが、このような作用をするものであればダイヤフラム７３に替わる部材にて第二閉塞部９８を構成してもよい。
次に、このタンク蓋４０を開ける開放動作だが、タンク蓋４０を開けるべく途中まで回動させた時、第二開口部３９を閉塞するのに付与していたコイルばね７５のばね力Ｆはスチーム圧力Ｐ１より小さくなり、弁体部７３ａが持ち上げられてそのスチームは連通管３７を通って外部に放出される。勿論、この時、第一開口部３８はＯリング８５によって閉塞されている。これにより内部の圧力は大気圧Ｐ０となり、さらにタンク蓋４０を回動させると第一開口部３８の閉塞が解除されると共に、蓋部４１のフック４１ａと溝３５ｆの係止も解除される。この時、内部の圧力は既に大気圧Ｐ０になっているので、スチームの噴出やタンク蓋４０が飛ばされるという現象は起こらない。また、ノズル４が詰まっていたとしても同様に安全にタンク蓋４０の開放動作が行える。従って、溝３５ｆはフック４１ａとの間で前述の開放動作が可能なように、周壁３６の開口縁近傍の外周に刻設したものである。
【手続補正１６】
【補正対象書類名】明細書
【補正対象項目名】００６１
【補正方法】変更
【補正の内容】
【００６１】
【発明の効果】
本発明の請求項１記載の発明にあっては、貯水量の一部のみを沸騰室に送り込み、小容量の水を沸騰室に設けたヒーターで加熱するために、水を素早く加熱気化することができ、スチーム発生までの使用者の待ち時間が短くなる。しかも、第一貯水部から沸騰室と逆の側方に突出して形成されている第２貯水部と、この第２貯水部の上方に位置して上記沸騰室からのスチームをノズルに導くスチーム流路とを備えるとともに、上記第２貯水部とスチーム流路とを仕切る壁に設けた復水孔でスチーム流路と第２貯水部とが上下に連通しているために、結露溜りが生じず、ノズルから熱い湯滴となって結露が吐出されることがなく安全なものとなる。また、蒸気損失によって生じた結露水が再び給水タンクに復水されることによって、給水した水量が確実にスチームとなるためスチーム発生持続時間が増大すると共に、捨て水を極小にすることができスチーム効率を増加させることができる。
【手続補正１７】
【補正対象書類名】明細書
【補正対象項目名】００６２
【補正方法】変更
【補正の内容】
【００６２】
また本発明の請求項２記載の発明にあっては、請求項１記載の発明の効果に加えて、上記復水孔を、第２貯水部の上記突出方向の先端壁より離れた位置に設けらているために、本体が傾斜乃至転倒した時に水が復水孔を通じてノズル側に流出することを抑制することができる。
【手続補正１８】
【補正対象書類名】明細書
【補正対象項目名】００６３
【補正方法】変更
【補正の内容】
【００６３】
また本発明の請求項３記載の発明にあっては、請求項１又は２に記載の発明の効果に加えて、スチームノズル外部で生じた結露水を吸水フェルトが吸水し、スチームノズル内へ結露水が滴下するのを防止するので、ノズルから熱い湯滴となって結露が吐出されることがなく安全なものとなる。
【手続補正１９】
【補正対象書類名】明細書
【補正対象項目名】００６４
【補正方法】削除
【補正の内容】
【手続補正２０】
【補正対象書類名】明細書
【補正対象項目名】００６５
【補正方法】削除
【補正の内容】
【手続補正２１】
【補正対象書類名】明細書
【補正対象項目名】００６６
【補正方法】変更
【補正の内容】
【００６６】
また本発明の請求項４記載の発明にあっては、請求項１乃至３のいずかに記載の効果に加えて、高圧放電を沸騰室で気化されたスチームに確実に付与でき、高圧放電の作用でスチームをイオンスチームに変化させ、顔等の肌や毛髪にイオンスチームをノズルより吐出させることができる。
【手続補正２２】
【補正対象書類名】明細書
【補正対象項目名】００６７
【補正方法】削除
【補正の内容】
【手続補正２３】
【補正対象書類名】明細書
【補正対象項目名】００６８
【補正方法】削除
【補正の内容】
【手続補正２４】
【補正対象書類名】明細書
【補正対象項目名】００６９
【補正方法】削除
【補正の内容】
【手続補正２５】
【補正対象書類名】明細書
【補正対象項目名】００７０
【補正方法】削除
【補正の内容】
【手続補正２６】
【補正対象書類名】明細書
【補正対象項目名】００７１
【補正方法】削除
【補正の内容】